(57)【要約】      （修正有）【課題】意図しない収容物の取り出しを抑制でき、収容物の使用時期を把握できるプレススルーパック包装体を提供する。【解決手段】内側空間に収容する収容物Ａを開口を経て外側へ出すように形成され開口が同方向を向くように配された複数の収容部１ｂと、シート状に形成された基材部１ａと、収容部の開口面側に配され開口を塞ぐようにシート状に形成された蓋材とを有する包装用本体１を備え、さらに、包装用本体の端縁部から連続するように延びるシート状のシート部材２を備え、シート部材は、包装用本体の蓋材側に折れ曲がるように構成され、収容物の使用時期を記入できる記入部を少なくとも片面側に有しており、シート部材が折れ曲がることにより蓋材を覆っている閉状態と、シート部材が蓋材を覆っていない開状態とをとるように構成されているプレススルーパック包装体１０。【選択図】図１
2013173552.tif 000002
【特許請求の範囲】
【請求項１】
内側空間に収容する収容物を開口を経て外側へ出すように形成され該開口が同方向を向くように配された複数の収容部と、該収容部の開口縁同士を互いにつなぐようにシート状に形成された基材部と、該基材部の一面側であって収容部の開口面側に配され前記収容部の開口を塞ぐようにシート状に形成された蓋材とを有する包装用本体を備え、前記収容部を外側から押すことにより前記収容物が前記蓋材を突き破って取り出されるように構成されたプレススルーパック包装体であって、
さらに、前記包装用本体の端縁部から連続するように延びるシート状のシート部材を備え、該シート部材は、前記包装用本体の蓋材側に折れ曲がるように構成され、収容物の使用時期を記入できる記入部を少なくとも片面側に有しており、
前記シート部材が折れ曲がることにより前記蓋材を覆っている閉状態と、前記シート部材が前記蓋材を覆っていない開状態とをとるように構成されていることを特徴とするプレススルーパック包装体。
【請求項２】
前記シート部材が、端縁部にて前記包装用本体の端縁部と重なり合って接合することにより、前記包装用本体の端縁部から連続するように延びている請求項１記載のプレススルーパック包装体。
【請求項３】
前記シート部材が、前記包装用本体の収容部側に配されて端縁部にて前記包装用本体の端縁部と重なり合って接合している請求項２記載のプレススルーパック包装体。
【請求項４】
前記記入部の複数が、各収容部と対応する位置にそれぞれ配されている請求項１〜３のいずれか１項に記載のプレススルーパック包装体。
【請求項５】
少なくとも１の収容部を有する前記包装用本体の一部が、該収容部と対応する位置にあるシート部材の一部とともに分離可能に構成されている請求項４記載のプレススルーパック包装体。
【請求項６】
閉状態を維持するように前記包装用本体の一部と前記シート部材の一部とを仮止めする仮止部を備えている請求項１〜５のいずれか１項に記載のプレススルーパック包装体。
【発明の詳細な説明】
【技術分野】
【０００１】
本発明は、プレススルーパック包装体に関する。
【背景技術】
【０００２】
従来、プレススルーパック包装体としては、様々なものが知られており、例えば、固体状の収容物を収容するように椀状に形成され開口が同方向を向くように配された複数の収容部と、該収容部の開口縁同士を互いにつなぐようにシート状に形成された基材部と、該基材部の一面側であって収容部の開口面側に配され、前記収容部の開口を塞ぐようにシート状に形成された蓋材とを有する包装用本体を備え、収容部を外側から押すことにより収容物が蓋材を突き破って取り出されるように構成されたものが知られている。
【０００３】
この種のプレススルーパック包装体としては、具体的には例えば、上記の包装用本体のみを備えたものが知られている（特許文献１）。
【０００４】
斯かるプレススルーパック包装体は、例えば、収容物として医薬用錠剤やサプリメント用カプセル等が包装され、収容部を外側から押すことにより上述のごとく収容物を取り出して使用することができる。
【先行技術文献】
【特許文献】
【０００５】
【特許文献１】特開２００１−０３１１３６号公報
【発明の概要】
【発明が解決しようとする課題】
【０００６】
しかしながら、斯かるプレススルーパック包装体は、不用意に収容部を押すと、意図せず収容物が取り出されるという問題がある。また、例えば収容物が所定の時間間隔を空けて定期的に使用するものであると、使用する時期を必ずしも明確に把握できないという問題がある。
【０００７】
本発明は、上記の問題点等に鑑み、意図しない収容物の取り出しを抑制でき、しかも収容物の使用時期を把握できるプレススルーパック包装体を提供することを課題とする。
【課題を解決するための手段】
【０００８】
本発明に係るプレススルーパック包装体は、内側空間に収容する収容物を開口を経て外側へ出すように形成され該開口が同方向を向くように配された複数の収容部と、該収容部の開口縁同士を互いにつなぐようにシート状に形成された基材部と、該基材部の一面側であって収容部の開口面側に配され前記収容部の開口を塞ぐようにシート状に形成された蓋材とを有する包装用本体を備え、前記収容部を外側から押すことにより前記収容物が前記蓋材を突き破って取り出されるように構成されたプレススルーパック包装体であって、
さらに、前記包装用本体の端縁部から連続するように延びるシート状のシート部材を備え、該シート部材は、前記包装用本体の蓋材側に折れ曲がるように構成され、収容物の使用時期を記入できる記入部を少なくとも片面側に有しており、
前記シート部材が折れ曲がることにより前記蓋材を覆っている閉状態と、前記シート部材が前記蓋材を覆っていない開状態とをとるように構成されていること特徴としている。
【０００９】
本発明に係るプレススルーパック包装体は、前記シート部材が包装用本体の蓋材側に折れ曲がり蓋材を覆っている閉状態をとるように構成されている。従って、前記閉状態においては、不用意に収容部を押したとしても、収容物の飛び出しをシート部材によって防止できる。
一方、前記開状態においては、収容物の取り出しが前記シート部材によって妨害されず、容易に収容物を取り出すことができる。
また、前記シート部材が、各収容物の使用時期を記入できる記入部を有しているため、各収容物の使用時期を記入部に記入することにより、収容物の使用時期を把握できる。
【００１０】
本発明のプレススルーパック包装体においては、前記シート部材は、端縁部にて前記包装用本体の端縁部と重なり合って接合することにより、前記包装用本体の端縁部から連続するように延びていることが好ましい。
斯かるプレススルーパック包装体によれば、前記包装用本体と前記シート部材とがそれぞれの端縁部にて互いに重なり合って接合しているため、包装用本体とシート部材とが面接合していることから、包装用本体とシート部材との分離をより確実に抑制できるという利点がある。
【００１１】
本発明のプレススルーパック包装体においては、前記シート部材は、前記包装用本体の収容部側に配されて端縁部にて前記包装用本体の端縁部と重なり合って接合していることが好ましい。
斯かるプレススルーパック包装体においては、シート部材が収容部側に配されているため、シート部材が包装用本体の蓋材と接合していないことから、仮にシート部材が包装用本体から剥離しても、シート部材が蓋材を伴って剥離することがない。従って、仮にシート部材が包装用本体から剥離しても、収容部の開口を蓋材が塞いでいる状態が維持され、収容物が意図せず飛び出ることが防止されるという利点がある。
【００１２】
本発明のプレススルーパック包装体は、前記記入部の複数が、各収容部と対応する位置にそれぞれ配されていることが好ましい。
斯かるプレススルーパック包装体によれば、収容物の使用時期をより確実に把握できるという利点がある。
【００１３】
本発明のプレススルーパック包装体においては、少なくとも１の収容部を有する前記包装用本体の一部が、該収容部と対応する位置にあるシート部材の一部とともに分離可能に構成されていることが好ましい。
斯かるプレススルーパック包装体によれば、収容物の使用ごとにプレススルーパック包装体を分割して使用することができるという利点がある。
【００１４】
本発明のプレススルーパック包装体は、閉状態を維持するように前記包装用本体の一部と前記シート部材の一部とを仮止めする仮止部を備えていることが好ましい。
斯かるプレススルーパック包装体によれば、閉状態をより確実に維持できるため、意図しない収容物の取り出しをより確実に抑制できるという利点がある。
【発明の効果】
【００１５】
本発明のプレススルーパック包装体は、意図しない収容物の取り出しを抑制でき、しかも収容物の使用時期を把握できるという効果を奏する。
【図面の簡単な説明】
【００１６】
【図１】閉状態となったプレススルーパック包装体を包装用本体側から見た図。
【図２】開状態となったプレススルーパック包装体を斜め上方側から見た図。
【図３】開状態となったプレススルーパック包装体を上方側から見た図。
【図４】完全開状態となったプレススルーパック包装体を収容部側から見た図。
【図５】完全開状態となったプレススルーパック包装体を収容物が取り出される側から見た図。
【図６】プレススルーパック包装体の断面を表す図。
【図７】完全開状態となったプレススルーパック包装体を収容部側から見た図。
【発明を実施するための形態】
【００１７】
以下、本発明に係るプレススルーパック包装体の実施形態について、図面を参照しつつ詳しく説明する。
【００１８】
本実施形態のプレススルーパック包装体１０は、図１及び図２に示すように、内側空間に収容する収容物Ａを開口を経て外側へ出すように形成され該開口が同方向を向くように配された複数の収容部１ｂと、該収容部１ｂの開口縁同士を互いにつなぐようにシート状に形成された基材部１ａと、該基材部１ａの一面側であって収容部１ｂの開口面側に配され前記収容部１ｂの開口を塞ぐようにシート状に形成された蓋材１ｃとを有する包装用本体１を備え、前記収容部１ｂを外側から押すことにより前記収容物Ａが前記蓋材１ｃを突き破って取り出されるように構成されたプレススルーパック包装体１０であって、
さらに、前記包装用本体１の端縁部から連続するように延びるシート状のシート部材２を備え、該シート部材２は、前記包装用本体１の蓋材側に折れ曲がるように構成され、収容物Ａの使用時期を記入できる記入部２ｃを少なくとも片面側に有しており、
前記シート部材２が折れ曲がることにより前記蓋材１ｃを覆っている閉状態と、前記シート部材２が前記蓋材１ｃを覆っていない開状態とをとるように構成されているものである。
【００１９】
前記プレススルーパック包装体１０は、図１や図１のＹ−Ｙ断面を表す図６（ａ）に示すように、前記シート部材２が前記包装用本体１の蓋材１ｃ側に折れ曲がり前記蓋材１ｃを覆うことができるように構成されている。即ち、前記プレススルーパック包装体１０は、図１及び図６（ａ）に示すように、シート部材２が包装用本体１の蓋材１ｃ側に折れ曲がりシート部材２が蓋材１ｃを覆っている閉状態になることができる。
【００２０】
一方、前記プレススルーパック包装体１０は、図２〜図５及び図４のＺ−Ｚ断面を表す図６（ｂ）に示すように、シート部材２が蓋材１ｃを覆っていない開状態になることができる。
【００２１】
開状態においては、前記プレススルーパック包装体１０は、図２及び図３に示すように、前記シート部材２が蓋材１ｃ側に折れ曲がりつつ蓋材１ｃから離れることができる。
また、開状態においては、前記プレススルーパック包装体１０は、図４、図５、図６（ｂ）に示すように、前記シート部材２が折れ曲がらず、閉状態にて蓋材１ｃを被覆していたシート部材２の一方の面が、包装用本体１における収容物取り出し方向と同じ方向を向くこともできる。
即ち、前記プレススルーパック包装体１０は、シート部材２が蓋材１ｃを覆わない開状態になることができるように構成されており、該開状態においては、シート部材２が蓋材１ｃ側に折れ曲がりつつ蓋材１ｃを覆わない半開状態になることができ、また、シート部材２が折れ曲がらない完全開状態になることができる。
【００２２】
前記包装用本体１は、通常、収容物Ａが取り出される方向から見て矩形状に形成されている。具体的には例えば、図５に示すように、長方形状に形成されている。
なお、前記包装用本体１は、必ずしも矩形状に形成されていなくてもよく、例えば、真円状、楕円状、多角形状などに形成されていてもよい。
【００２３】
前記包装用本体１は、図２及び図５に示すように、前記基材部１ａの外縁と前記蓋材１ｃの外縁とが一致するように形成されている。即ち、基材部１ａと蓋材１ｃとは、それぞれの外縁が一致するように形成されている。具体的には、基材部１ａ及び蓋材１ｃは、例えば、それぞれの外縁が略同一の矩形状に形成され、より具体的には、例えば図２及び図５に示すように、略同一の長方形状に形成されている。
【００２４】
前記基材部１ａは、図６に示すように、前記収容部１ｂの開口を塞がないように平らなシート状に形成されている。即ち、基材部１ａは、平らなシート状であり、基材部１ａには、収容部１ｂの開口を塞がないように複数の孔が形成されている。該孔の周縁と、収容物を収容するように形成され開口した収容部１ｂの開口縁とは、連続するようになっている。
【００２５】
前記基材部１ａの材質としては、特に限定されず、例えば、プラスチックが挙げられる。
該プラスチックとしては、前記シート部材２とヒートシールできるという点で、熱可塑性プラスチックが好ましい。該熱可塑性プラスチックとしては、具体的には例えば、ポリプロピレン、ポリエチレン、ポリ塩化ビニル等が挙げられる。
【００２６】
前記基材部１ａの厚みは、通常、０．１５〜０．６ｍｍである。
【００２７】
前記収容部１ｂは、図１及び図６に示すように、内側空間に収容物Ａを収容するように形成され、且つ一方向に向けて開口している。詳しくは、収容物Ａを内側空間に収容でき収容物Ａを開口を通って外側へ出せるように形成されている。また、収容物取り出し方向に沿って切断した断面が凹状となるように形成されている。具体的には、前記収容部１ｂは、例えば椀状に形成されている。
前記収容部１ｂは、図１等に示すように、複数が包装用本体１に備えられている。
また、前記収容部１ｂは、基材部１ａの一方の面側に配され、開口が基材部１ａ側を向くように配されている。また、開口縁にて基材部１ａと連続するようになっている。
即ち、前記収容部１ｂは、例えば原反シートが椀状に加工されて形成され、図６に示すように、収容物Ａが取り出される方向に向けて開口しており、開口縁がシート状の基材部１ａに沿って並ぶように配されている。
【００２８】
前記収容部１ｂは、比較的弱い力により変形するように構成されている。即ち、収容物Ａを取り出すべく外側から押したときに、変形することにより収容物を開口側へ移動できるように構成されている。
【００２９】
前記収容部１ｂは、図４及び図５に示すように、包装用本体１を収容部１ｂ側から見たときに、格子の交点に位置するように配列されている。
詳しくは、前記収容部１ｂは、矩形状の包装用本体１の一端縁に平行な方向に沿って並び、且つ、該方向に垂直な方向に沿って並んでいる。しかも、各方向に沿って並んだ隣り合う収容部１ｂは、間隔を等しくして配列されている。
【００３０】
前記収容部１ｂの材質は、通常、基材部１ａの材質と同じである。
具体的には、前記基材部１ａと前記収容部１ｂとは、例えば、１枚の原反シートを加工することにより形成されている。
より具体的には、前記基材部１ａと前記収容部１ｂとは、例えば、収容部１ｂを形成するための収容部１ｂ形成用凸状治具を用いて、前記原反シートの複数箇所を片面側から該治具で押圧することにより形成されている。そして、押圧されて窪んだ部分が収容部１ｂとなり、押圧されなかった平らな部分が基材部１ａとなっている。
また、例えば、基材部１ａと収容部１ｂとは、凹状に形成された金型を用いて原反シートの複数箇所を真空引きすることにより形成されていてもよく、原反シートの複数箇所に向かって圧縮空気を吹き付けることにより形成されていてもよい。
【００３１】
前記蓋材１ｃは、図２及び図６に示すように、基材部１ａの一面側であって収容部１ｂの開口面側に配されている。即ち、基材部１ａの収容物取り出し方向側に配されている。また、前記蓋材１ｃは、基材部１ａに貼り付けられることにより、収容部１ｂの開口を覆っている。該貼り付けは、通常、従来公知の一般的な方法（ヒートシールなど）によって施されている。
【００３２】
前記蓋材１ｃは、収容部１ｂを押したときに収容物Ａによって突き破られるように構成されている。
具体的には、前記蓋材１ｃは、収容部１ｂが外側から押されると、収容部１ｂ内の収容物Ａが当接することにより破れ、収容物を取り出せるように構成されている。即ち、前記蓋材１ｃは、比較的低い強度を有しており、収容部１ｂの開口を覆うように構成されつつ、収容物を取り出すときに収容部１ｂを外側から押す力に伴って収容物によって突き破られるように構成されている。
【００３３】
前記蓋材１ｃの厚みは、特に限定されないが、通常、１５〜３０μｍである。
【００３４】
前記蓋材１ｃの材質としては、特に限定されず、例えば、アルミニウムなどの金属が挙げられる。即ち、蓋材１ｃとしては、例えば、アルミ箔を採用することができる。
また、蓋材１ｃは、ヒートシールによって基材部１ａに貼り付けることができるように、例えば、アルミ箔などの金属箔と熱可塑性樹脂を含むヒートシール用樹脂層とが積層されて形成されていてもよい。
【００３５】
前記シート部材２は、包装用本体１の端縁部から連続するように延びている。そして、上記の閉状態となるべく、包装用本体１の蓋材１ｃ側に折れ曲がり、蓋材１ｃを覆うことができるように構成されている。
前記シート部材２は、包装用本体１の蓋材１ｃを覆うべく、前記包装用本体１より折れ曲がりやすいように構成されている。
【００３６】
前記シート部材２は、具体的には例えば、一端側の端縁が、前記包装用本体１の一端側の端縁と突き合わされることにより、包装用本体１の端縁部から連続して延びるように形成されている。
また、前記シート部材２は、例えば、端縁部にて包装用本体１の端縁部と重なり合って接合することにより包装用本体１の端縁部から連続して延びるように形成されている。
包装用本体１の端縁部とシート部材２の端縁部とが重なり合って接合したプレススルーパック包装体１０によれば、包装用本体１とシート部材２とがそれぞれの端縁部にて互いに重なり合って面接合しているため、包装用本体とシート部材との分離をより確実に抑制できる。
【００３７】
より具体的には、前記シート部材２は、例えば、包装用本体１の蓋材１ｃ側に配されて、端縁部が包装用本体１の端縁部と重なり合って面接合していてもよく、例えば図１、図４、図６に示すように、包装用本体１の収容部１ｂ側に配されて端縁部が包装用本体１の端縁部と重なり合って面接合していてもよい。
【００３８】
前記シート部材２は、図１に示すように、包装用本体１の収容部１ｂ側に配されて包装用本体１と接合していることが好ましく、図６に示すように、包装用本体１の収容部１ｂ側に配されて包装用本体１の基材部１ａと接合していることがより好ましい。
前記シート部材２が包装用本体１の収容部１ｂ側に配されて接合していることにより、シート部材２が包装用本体１の蓋材１ｃと接合していないことから、仮にシート部材２が包装用本体１から剥離しても、シート部材２が蓋材１ｃを伴って剥離することがない。従って、仮にシート部材２が包装用本体１から剥離しても、蓋材１ｃが収容部１ｂの開口を塞いだ状態が維持され、収容物Ａが意図せず飛び出ることが防止されるという利点がある。
【００３９】
前記シート部材２と前記包装用本体１との接合方法としては、接着剤による接合方法、粘着テープを介して接合する接合方法、ヒートシールによる接合方法などが挙げられる。該接合方法としては、比較的簡便に接合できるという点、また、接着剤や粘着テープが接合部分以外にはみ出したことによる悪影響（使用時のべたつき感等）を抑えることができるという点で、ヒートシールによる接合方法が好ましい。
【００４０】
前記シート部材２は、具体的には図４に示すように、前記包装用本体１の蓋材１ｃを覆うことができるシート本体２ａと、該シート本体２ａの一端側に配され包装用本体１と接合しているシート状の接合部２ｂとを有している。
【００４１】
前記シート部材２は、シート本体２ａの一端側の端縁と、接合部２ｂの一端側の端縁とが突き合わされるように形成されている。
前記シート部材２は、シート本体２ａと接合部２ｂとの境界部分（図４において一点鎖線で示す）にて折れ曲がるように構成されている。
【００４２】
前記シート部材２は、図１、図３、図４、及び図６に示すように、端縁部において、前記包装用本体１の端縁部と重なり合って接合している。具体的には、前記シート部材２は、接合部２ｂにて包装用本体１と重なり合って接合している。即ち、前記シート部材２は、接合部２ｂにおいて、前記包装用本体１の端縁部と面接合している。
【００４３】
前記接合部２ｂは、帯状に形成されており、長方形状の包装用本体１の収容部１ｂ側から見たときに、包装用本体１の一端側に配され、且つ長手方向が該端縁に沿うように配されている。
【００４４】
前記接合部２ｂは、長方形状の包装用本体１の長辺側に配されていてもよく、短辺側に配されていてもよい。即ち、前記シート部材２は、図１等に示すように、長方形状の包装用本体１における長辺側の端縁部にて包装用本体１と接合していてもよく、図７に示すように、短辺側の端縁部にて包装用本体１と接合していてもよい。
【００４５】
前記接合部２ｂは、包装用本体１が長方形状以外の形状であっても、包装用本体１の端縁部に配されていればよく、包装用本体１との接合位置が特に限定されるものではない。
【００４６】
前記シート本体２ａは、図４及び図５に示すように、例えば包装用本体１と略同一の大きさの矩形状、より具体的には例えば、長方形状に形成されている。
【００４７】
前記シート本体２ａは、大きさや形状が特に限定されるものではないが、図１及び図５に示すように、通常、包装用本体１と同一の大きさ且つ同一の形状となるように形成されている。即ち、シート本体２ａは、通常、図１及び図５に示すように、上記の閉状態において、端縁が包装用本体１の端縁と重なり合う大きさ及び形状に形成されている。
なお、シート本体２ａは、上記の閉状態において、包装用本体１より小さくなるように形成されていてもよく、包装用本体１より大きくなるように形成されていてもよい。即ち、シート本体２ａは、上記の閉状態にて包装体１０を収容物取り出し方向側からみたときに、少なくとも１つの収容部１ｂの開口を塞ぐ蓋材１ｃを覆うことができるように形成されていればよい。
【００４８】
前記シート部材２においては、複数の前記記入部２ｃが、各収容部１ｂと対応する位置にそれぞれ配されている。
【００４９】
具体的には例えば、前記シート部材２においては、複数の前記記入部２ｃが、各収容部１ｂの配列順序と対応するように同様の順序で配列されている。
より具体的には、前記プレススルーパック包装体１０においては、包装用本体１とシート本体２ａとが同一形状、同一大きさであれば、例えば図４及び図５に示すように、前記記入部２ｃと該記入部２ｃに対応する収容部１ｂとが、上記の完全開状態にて、帯状の前記接合部２ｂを挟んでそれぞれ反対側に配されている。しかも、例えば図２及び図３から把握できるように、プレススルーパック包装体１０は、上記の閉状態にて、前記記入部２ｃと該記入部２ｃに対応する収容部１ｂとが、収容物取り出し方向側からみたときに重なり合うように構成されている。
【００５０】
前記記入部２ｃと該記入部２ｃに対応する収容部１ｂとは、上記の閉状態にて、収容物取り出し方向側からみたときに、必ずしも重なり合うように配列されていなくてもよい。
具体的には例えば、前記記入部２ｃは、図７に示すように、上記の完全開状態にて、シート部材２の片面側の略半分面積部分において、各収容部１ｂの配列順序と対応するように同様の順序で配列されていてもよい。
【００５１】
前記記入部２ｃは、例えば図２〜図５に示すように、シート部材２に複数の枠が表示されていることにより枠内に収容物Ａの使用時期を記入できるように構成されている。
【００５２】
前記記入部２ｃは、例えば図３に示すように、シート部材２において、閉状態にて包装用本体１と対向する面側に配され得る。
又は、前記記入部２ｃは、例えば図２に示すように、シート部材２において、閉状態にて外側となる面側に配され得る。
なお、前記記入部２ｃは、シート部材２の両方の面側に配されていてもよい。
【００５３】
前記シート部材２には、収容物の使用方法などが表示されていてもよい。具体的に例えば、収容物が医薬品である場合、シート部材２には、収容物の医薬品名、服用方法などの収容物の使用方法、服用時期などの収容物の使用間隔、医薬品製造会社名、使用期限などに関わる記載が表示されていてもよい。
【００５４】
前記シート部材２を構成する材料は、特に限定されず、シート部材２は、具体的には例えば、紙などで構成された基材層と、該基材層の少なくとも片面側に配された熱可塑性のプラスチック層とを有し、基材層とプラスチック層とが積層されて構成されていてもよい。
該プラスチック層は、ヒートシールによって包装用本体１と接合できるように、例えば、基材部１ａの材質と同じ熱可塑性プラスチック（ポリ塩化ビニル、無延伸ポリプロピレンなど）をフィルム状に形成したものであってもよい。即ち、斯かるフィルム状のプラスチック層が基材層と貼り合わされることによりシート部材２が形成されていてもよい。斯かるフィルム状のプラスチック層は、例えば、１０〜１００μｍの厚みに形成されている。
また、プラスチック層は、例えば、熱可塑性プラスチックと溶剤とを含む液状のコート剤を基材層に塗布して溶剤を揮発させることにより形成され、熱可塑性プラスチックによりヒートシール性を有するように構成されていてもよい。
斯かる構成のシート部材２は、少なくとも片面側に熱可塑性のプラスチック層を有するため、該シート部材２によれば、シート部材２のプラスチック層側と包装用本体１の基材部１ａ（熱可塑性プラスチック製）側とを上述のごとくヒートシールすることにより、シート部材２と包装用本体１とを比較的簡便に接合することができる。
【００５５】
前記シート部材２の厚みは、特に限定されないが、通常、０．１〜０．２５ｍｍである。
また、前記シート部材２は、前記蓋材１ｃよりも、収容物によって破られにくいように形成されている。
【００５６】
前記プレススルーパック包装体１０は、閉状態を維持するように前記包装用本体１の一部と前記シート部材２の一部とを仮止めする仮止部３を備えていることが好ましい。
前記仮止部３は、図２及び図５に示すように、複数備えられていてもよい。
【００５７】
前記仮止部３は、具体的には例えば、閉状態のプレススルーパック包装体１０における包装用本体１とシート部材２との間に配された粘着剤を有し、該粘着剤により包装用本体１の一部とシート部材２の一部とを互いに粘着するように構成されている。
【００５８】
前記粘着剤は、比較的弱い粘着力を有している。従って、プレススルーパック包装体１０は、粘着剤により仮止めされている包装用本体１とシート部材２とが、比較的弱い力により仮止めを解除できるように構成されている。仮止めが解除されると、プレススルーパック包装体１０は、上記の閉状態が解除され、上記の開状態となり得る。
なお、仮止め解除後でも粘着力を有し続ける粘着剤を採用することにより、いったん開状態となった包装体１０を再び閉状態とし、該粘着剤により包装用本体１の一部とシート部材２の一部とを仮止めすることができる。これにより、再び閉状態となった包装体１０を閉状態のまま維持させることができる。
【００５９】
前記仮止部３としては、例えば、加熱により包装用本体１とシート部材２とを互いに接着するホットメルト接着剤を有するもの、包装用本体１又はシート部材２の少なくともいずれか一方に付着された粘着テープを有し上記の閉状態にて包装用本体１とシート部材２との間に配されて両者を仮止めできるように構成されたものなども採用することができる。
【００６０】
前記プレススルーパック包装体１０は、好ましくは、少なくとも１の収容部１ｂを有する前記包装用本体１の一部が、該収容部１ｂと対応する位置にあるシート部材２の一部とともに分離可能に構成されている。
【００６１】
より好ましくは、前記プレススルーパック包装体１０には、例えば図１及び図２に示すように、包装体１０の一部を分離するための分離用切断線４が複数本形成されている。
【００６２】
前記分離用切断線４は、帯状の接合部２ｂの長手方向と垂直な方向に延在し、並行するように形成されている。また、隣り合う分離用切断線４の間には、少なくとも１の収容部１ｂと該収容部１ｂに対応する前記記入部２ｃとが配されている。
【００６３】
上記の分離用切断線４によれば、少なくとも１の収容部１ｂを有する前記包装用本体１の一部を、該収容部１ｂと対応する位置にあるシート部材２の一部とともに切り離すことができる。具体的には例えば、複数の収容部１ｂを有する包装用本体１の一部と、該収容部１ｂに対応する記入部２ｃを有するシート部材２の一部とを共に切り離して分離することができる。
【００６４】
前記分離用切断線４は、例えば、ミシン目、ハーフカット線等により形成されている。
【００６５】
前記収容物Ａは、通常、所定の時間間隔を空けて使用されるものである。
【００６６】
前記収容物Ａは、通常、固体状のものである。
前記収容物Ａの態様としては、具体的には例えば、錠剤、ハードカプセルやソフトカプセルなどのカプセル剤などが挙げられる。
【００６７】
前記収容物Ａの用途としては、特に限定されず、具体的には、内服薬などの医薬品、サプリメントなどの食品、発泡性洗浄剤などの日用品等が挙げられる。
【００６８】
前記プレススルーパック包装体１０は、例えば、収容物Ａの使用時期を予めシート部材２の記入部２ｃに記入しておき、記入した時期がきたときに収容物を取り出すことにより使用することができる。具体的には、例えば収容物が内服薬であれば、収容物を服用する日付や時間を記入部２ｃに記入しておき、服用時期がきたときに、記入部２ｃと対応する収容部１ｂにある収容物を取り出して服用することができる。
また、前記プレススルーパック包装体１０は、例えば、収容物Ａを使用したときにその使用日時を記入部２ｃに記入し、斯かる記入の記録を基にして次の使用時期を把握し、次の使用時期がきたときに収容物を取り出すことにより使用することもできる。
【００６９】
本実施形態のプレススルーパック包装体は、上記例示の通りであるが、本発明は、上記例示のプレススルーパック包装体に限定されるものではない。
また、一般のプレススルーパック包装体において用いられる種々の態様を、本発明の効果を損ねない範囲において採用することができる。
【符号の説明】
【００７０】
１：包装用本体、  １ａ：基材部、  １ｂ：収容部、  １ｃ：蓋材、
２：シート部材、  ２ａ：シート本体、  ２ｂ：接合部、  ２ｃ：記入部
３：仮止部、
４：分離用切断線、
１０：プレススルーパック包装体、
Ａ：収容物
【図１】
2013173552.tif 000003
【図２】
2013173552.tif 000004
【図３】
2013173552.tif 000005
【図４】
2013173552.tif 000006
【図５】
2013173552.tif 000007
【図６】
2013173552.tif 000008
【図７】
2013173552.tif 000009